(57)【要約】      （修正有）【課題】簡単な構造でありながらも、長時間の座りにも腰に負担がかかることなく、楽に座れる揺動可能な座布団を提供する。【解決手段】底部と、弾性部と、座面部により構成され、前記弾性部の撓みにより座面部が揺動すると共に、底部には所定の間隔で凹部、又は開口部等の取付孔が設けられており、該取付孔と嵌め合う寸法の突起物を任意の位置に取付可能に構成されたことを特徴とした座布団である。【選択図】図１
0003146774.tif 000002
【実用新案登録請求の範囲】
【請求項１】
座面部と底部に連結された弾性部の撓みにより座面部が揺動すると共に底部にには所定の感覚で凹部、又は開口部等の取付孔が設けられており、該取付孔に嵌め込む寸法及び突起物を裏面に有するつぼ押し具が任意の位置に取り外しが可能に構成された事を特徴とする座布団。
【請求項２】
前記座面部、及び弾性部、及び底部は、合成樹脂、又は木材、又は金属等の同一の材料により構成された一枚の板状部材を曲げる、又は一体成形する事により一体型に構成された事を特徴とする請求項１記載の座布団。
【請求項３】
前記座面部の中央部に一定の隙間及び形状孔を設け弾性部の撓みによる揺動する範囲を高める。
【請求項４】
前記座面部、及び弾性部、及び底部により構成された合成樹脂による一体成形する事により軽量、小型化し携帯出来ることを特徴とする。
【考案の詳細な説明】
【技術分野】
【０００１】  本考案は、揺動可能な座布団。
【背景技術】
【０００２】  従来より、座布団が供給されているがいずれも綿布袋の中に綿（わた）を要した物で敷物として使用、長時間の座りに腰に負担がかかり実際上欠点を有していた。。【０００３】  これららの問題を解決しようとする座布団としては、
【特許文献１】特開平５−１２８９０２号公報
【考案の開示】
【考案が解決しようとする課題】
【０００４】  本考案は、簡単な構造で揺動可能な座布団を提供するものである。
【課題を解決するための手段】
【０００５】  底部と該底部に連結された弾性部と、該弾性部に連結された座面部とにより構成され、前記弾性部の撓みにより座面部が揺動すると共に、底部に所定の間隔で凹部あるいは穴が設けられており、必要に応じ前記、凹部・穴部に取り外し可能の突起部を有するつぼ押し具が底面部の任意の位置に取り付け可能に構成されたことを特徴とする座布団を提供する。【０００６】  また、本考案は、前記座面部及び弾性部及び底部は合成樹脂、又は木材又は金属等の板状部材を曲げる、又は１体成型する事により１体型に構成された事を特徴とする請求項１記載の座布団を提供する。【０００７】  前記座面部、及び底部、及び弾性部で構成されている一体型の内、座面部の中央及び定められた位置に一定の形状に切り抜く事で、座る時に体の部分を挟むことを防ぎながら、それぞれの弾揺を体感できる座布団を提供する。【０００８】  座面部部と該底部に連結された弾性部と、該弾性部に連結された座面部とにより構成された座布団を、現有する座椅子の座位置に設置及び背もたれ位置に設置しクッション座椅子として構成出来る。また底面部に突起物を有するつぼ押し具を任意の位置に取り付ける事でつぼ押し座椅子となる座布団を提供する。【０００９】  前記座面部、及び弾性部、及び底部により構成された合成樹脂による一体成形する事により軽量、小型化し携帯出来ることを特徴とする。椅子等の座位置に設置、長時間使用の疲れを軽減する座布団を提供する。
【考案の効果】
【００１０】  本考案の物は弾性部を設けることにより、楽に座れる座布団を提供する物である。その優れた効果を、以下に述べる。
（１）弾性部３が、体重により撓むため座面部４が揺動するため、長時間座っていても痛みを発生する事が軽減出来、簡単な構造で楽に座る事が出来る。
（２）一番効果的な位置に、つぼ押し具を取付る事が出来るため自分が求める位置の指圧効果を得ることが出来る。
（３）座布団１の材料は、合成樹脂、木材、金属等の弾性を有する材料のいずれでも良い。合成樹脂の一体成型により製作する事で、安価に大量生産する事が出来る。
（４）同一の材料で構成された一枚の板状ｑを、プレス、又は加熱処理による曲げられる事により一体型に構成出来、前記と同様に安価に生産できる。
（５）座布団１を座椅子の座部及び背もたれに設置する事でクッション座椅子となる。又、座布団１の底部につぼ押し具を取付けるとつぼ押し座椅子となる。
【考案を実施するための最良の形態】
【００１１】  本考案は、考案の効果に前途した如く、すなわち簡単な構造で楽に座れる揺動可能な座布団を提供するものである。【００１２】  なお、本考案の前記ならびにそのほかの目的と新規な特徴は次の説明を添付図面と照らし合わせて読むと、より完全に明らかになるであろう。ただし、図面は解説のための物であって、本考案の技術的範囲を限定するものではない。以下図面に基づいて詳細を説明する。
【実施例１】
【００１３】  以下、本考案の実施例について、図面を参照しながら説明する。この実施例１の全体斜視図を図１に示す。【００１４】  床Ｆ等に置かれる座布団１は、底部２と該底部２に連結された弾性部３と、該弾性部３に連結された座面部４とにより構成されている。
座布団１に、人が座ると、その体重により前記弾性部３が撓むため座面部４が揺動する。【００１５】  従来の座布団は布袋の中に綿を入れた物で長時間人が座ると体重により綿が圧縮され床の硬さが綿を通して痛みを発生してくるがその時は、座り直をしても再三痛みが解消されないという欠点を有していた。【００１６】  本考案の実施例では、弾性部３が体重により撓むため座面部４が揺動するため、長時間座っていても、痛みを発生する事が少なく、簡単な構造で楽に座ることが出来る。弾性部３の形状は図１に示すＲ形状でも、直線部をもったコの字形でもΣ形等の撓み効果を発揮する形状であればいずれでも良い。【００１７】  又、背中や腰にある、つぼを押すと痛みが和らぐ事が良く知られている。
本考案の座布団１には、底部２に開口部等の取付孔５が設けられており、該取付孔５と嵌め合う寸法の突起物６を取付可能に構成されている。従って一番効果的な位置に突起物６を取り付ける事が出来るため自分に合った指圧効果を発揮する事が出来る。【００１８】  座布団１の材料は、合成樹脂、木材、金属等の弾性を有する材料であればいずれでも良い。特に合成樹脂の一体成型により製作する事により、安価に大量生産することも出来る。【００１９】  また座面部４、及び底面部２、及び弾性部３等に通常用いられるスポンジ、クッション材、布等を取り付けても良い。
【実施例２】
【００２０】  図２は、本考案の実施例２を示す展開した全体斜視図である。
前記底部２、及び弾性部３、及び座面部４は、合成樹脂、又は木材、又は金属等の同一の材料により構成された一枚の板状部材７を、プレス、又は加熱成形等の加工手段により曲げられることにより同一材料で一体型に構成することが出来る。この場合も、前記と同様に、安価に生産することが出来る。
【実施例３】
【００２１】  図３は、本考案の実施例３を示す側面図である。
弾性部３の撓みにより座面部４が揺動する。又底面部２に突起物６の取付孔５が設けられている。
【実施例４】
【００２２】  図４は、実施例４を示す斜視図である。
例えば座布団１を座椅子８の座わる位置にクッションとして設置。又、底部２の取付孔５に突起物６を取付、座椅子８の背もたれの部に、底部２を表面にして座布団１を設置つぼ押し効果を得る事ができる。
【実施例５】
【００２３】  図５は、実施例５を示す正面図である。
座布団１の座面部４の中央及び定められた位置に一定の形状に切り抜く事で、座る時に体の部分を挟むことを防ぎながら、それぞれの弾揺を体感できる形状を持つ座布団１である。
【変形実例】
【００２４】  この考案は次のように変形して実施する事を含むものである。
（１）座布団１を携帯用として小型にし硬い椅子等に座るとき小型化した携帯用座布団を２カ所臀部の下に敷くことで長時間座る場合に発生する痛みを防ぐ事ができる。
（２）図６に示す如く座布団１を小型にした座布団１２を臀部の下に敷くときの２カ所の間隔が調整でき携帯用にたためる携帯座布団である。
【産業上の利用可能性】
【００２５】  本考案の活用例としては、以上説明したように、簡単な構造で楽に座れる揺動可能な座布団を提供する事により、健康上の良好な効果を発揮すると共に、簡単な構造であるため安価に製作できるため、大量生産による新規商品分野を開拓でき産業の発展に寄与することができる。
【図面の簡単な説明】
【００２６】
【図１】実施例１の全体斜視図である。
【図２】実施例２を示す展開した全体斜視図である。
【図３】実施例３の一例を示す側面図である。
【図４】実施例４を示す斜視図である。
【図５】実施例５を示す正面図である。
【図６】携帯用座布団変形実施例の側面図である。
【符号の説明】
【００２７】  １      座布団
２      底部
３      弾性部
４      座面部
５      取付孔
６      突起物
７      板状部材
８      座椅子
９      円形座面部
１０      ストッパー
１１      スライド部
【図１】
0003146774.tif 000003
【図２】
0003146774.tif 000004
【図３】
0003146774.tif 000005
【図４】
0003146774.tif 000006
【図５】
0003146774.tif 000007
【図６】
0003146774.tif 000008
【手続補正書】
【提出日】平成20年8月29日(2008.8.29)
【手続補正１】
【補正対象書類名】実用新案登録請求の範囲
【補正対象項目名】全文
【補正方法】変更
【補正の内容】
【実用新案登録請求の範囲】
【請求項１】
底部と座面部に連結若しくは連設された弾性部と、該弾性部の撓みにより揺動する前記座面部と、前記底部に所定間隔で設けられた凹部又は開口等からなる取付部と、該取付部に取り外し自在に設けられたつぼ押し具とを備えてなることを特徴とする座布団。
【請求項２】
前記座面部は、弾性部及び／又は底部と同一材料により一体成形され或いは一体的に折り曲げられた一枚の板状部材にて構成されていることを特徴とする請求項１に記載の座布団。
【請求項３】
前記座面部は、前記弾性部の撓みによる揺動範囲を高めるべく形成された一定の隙間若しくは孔を設けてなることを特徴とする請求項１又は２に記載の座布団。
【請求項４】
前記つぼ押し具は、前記底部に設けられた取付部に着脱自在に嵌合される突起部を有することを特徴とする請求項１に記載の座布団。
【手続補正２】
【補正対象書類名】明細書
【補正対象項目名】全文
【補正方法】変更
【補正の内容】
【考案の詳細な説明】
【技術分野】
【０００１】  本考案は、簡単な構造で楽に座れる揺動可能な座布団に関する。
【背景技術】
【０００２】  従来、斯かる座布団としては、例えば、内袋に合繊綿又は綿若しくは合繊綿とを混合して充填し、外袋にダウン又はダウンとスモールフェザを混合して充填し、内袋を外袋で被覆して構成している。
【特許文献１】特開２０００−１２８９０２号公報
【考案の開示】
【考案が解決しようとする課題】
【０００３】しかしながら、上述した従来の座布団は、いずれも綿布袋の中に綿を要したもので敷物として使用しているが、長時間の座りに腰に負担がかかるなどの欠点を有していた。しかも布袋の中に綿を入れたもので長時間人が座ると体重により綿が圧縮され床の硬さが綿を通して痛みを発生してくるが、その時は、座り直をしても再三痛みが解消されないという欠点を有していた。【０００４】  本考案はこのような従来の問題点及び要望に鑑みてなされたもので、簡単な構造でありながらも、長時間の座りにも腰に負担がかかることなく、楽に座れる揺動可能な座布団を提供することを目的としたものである。
【課題を解決するための手段】
【０００５】上述の如き従来の問題点を解決し、所期の目的を達成するため本考案の要旨とする構成は、底部と座面部に連結若しくは連設された弾性部と、該弾性部の撓みにより揺動する前記座面部と、前記底部に所定間隔で設けられた凹部又は開口等からなる取付部と、該取付部に取り外し自在に設けられたつぼ押し具とを備えてなる座布団に存する。【０００６】また、前記座面部は、弾性部及び／又は底部と同一材料により一体成形され或いは一体的に折り曲げられた一枚の板状部材にて構成されるのが良い。【０００７】更に、前記座面部は、前記弾性部の撓みによる揺動範囲を高めるべく形成された一定の隙間若しくは孔を設けるのが良い。【０００８】また、前記つぼ押し具は、前記底部に設けられた取付部に着脱自在に嵌合される突起部を有するのが良い。【０００９】  前記座面部、弾性部、底部により構成された合成樹脂による一体成形で、軽量、小型化が可能になり、携帯することもでき、長時間使用の疲れを軽減する座布団を提供する。
【考案の効果】
【００１０】  本考案の座布団は弾性部を設けることにより、楽に座れる座布団を提供するものでありその優れた効果を以下に述べる。
（１）弾性部が、体重により撓むため座面部が揺動するため、長時間座っていても痛みを      発生することが軽減でき、簡単な構造で楽に座ることができる。
（２）一番効果的な位置に、つぼ押し具を取り付ることができるため自分が求める位置の      指圧効果を得ることができる。
（３）座布団の材料は、合成樹脂、木材、金属等の弾性を有する材料のいずれでも良い。      合成樹脂の一体成型により製作することで、軽量、小型化し、携帯できる共に、安      価に大量生産することができる。
（４）同一の材料で構成された一枚の板状を、プレス、又は加熱処理による曲げられるこ      とにより一体型に構成でき、前記と同様に安価に生産できる。
（５）座布団を座椅子の座部及び背もたれに設置することでクッション座椅子となる。ま      た、座布団１の底部につぼ押し具を取り付けるとつぼ押し座椅子となる。
【考案を実施するための最良の形態】
【００１１】底部と座面部に連結若しくは連設された弾性部と、該弾性部の撓みにより揺動する前記座面部と、前記底部に所定間隔で設けられた凹部又は開口等からなる取付部と、該取付部に取り外し自在に設けられたつぼ押し具とを備え、延いては、前記座面部は、弾性部及び／又は底部と同一材料により一体成形され或いは一体的に折り曲げられた一枚の板状部材にて構成せしめる。【００１２】また、座面部の中央及び定められた位置に一定の形状に切り抜くことで、座る時に体の部分を挟むことを防ぎながら、それぞれの弾揺を体感でき、更に、座面部と底部に連結された弾性部と、該弾性部に連結された座面部とにより構成された座布団を、現有する座椅子の座位置や背もたれ位置に設置すれば、クッション座椅子としての仕様が可能となる。また、底面部に突起物を有するつぼ押し具を任意の位置に取り付けることで、つぼ押し座椅子の仕様となる座布団を提供する。
【実施例１】
【００１３】  以下、本考案の第１実施例について、図面を参照しながら説明する。この実施例１の全体斜視図を図１に示す。尚、図面は解説のためのものであって、本考案の技術的範囲を限定するものではない。以下、図面に基づいて詳細を説明する。【００１４】  床等に置かれる座布団１は、底部２と該底部２に連結された弾性部３と、該弾性部３に連結された座面部４とにより構成されている。座布団１に、人が座ると、その体重により前記弾性部３が撓むため座面部４が揺動する。【００１５】  従来の座布団は、布袋の中に綿を入れたもので長時間人が座ると体重により綿が圧縮され床の硬さが綿を通して痛みを発生してくるがその時は、座り直をしても再三痛みが解消されないという欠点を有していた。【００１６】  尚、本実施例では、弾性部３が体重により撓むため座面部４が揺動するため、長時間座っていても、痛みを発生することが少なく、簡単な構造で楽に座ることができる。弾性部３の形状は図１に示すＲ形状でも、直線部をもったコの字形でもΣ形等の撓み効果を発揮する形状であればいずれでも良い。【００１７】  また、背中や腰にある、つぼを押すと痛みが和らぐことが良く知られている。本考案の座布団１には、底部２に開口部等の取付孔５が設けられており、該取付孔５と嵌め合う寸法の突起物を有するつぼ押し具６を取付可能に構成されている。従って、一番効果的な位置につぼ押し具６を取り付けることができるため自分に合った指圧効果を発揮することができる。【００１８】  座布団１の材料は、合成樹脂、木材、金属等の弾性を有する材料であればいずれでも良い。特に合成樹脂の一体成型により製作することにより、安価に大量生産することもできる。【００１９】  また、座面部４、及び底面部２、及び弾性部３等に通常用いられるスポンジ、クッション材、布等を取り付けても良い。
【実施例２】
【００２０】  図２は、本考案の第２実施例を示す展開した全体斜視図である。前記底部２、弾性部３、座面部４は、合成樹脂、木材、金属等の同一の材料により構成された一枚の板状部材７をプレス、又は加熱成形等の加工手段により曲げられることにより同一材料で一体型に構成することができる。この場合も、前記と同様に、安価に生産することができる。
【実施例３】
【００２１】  図３は、本考案の第３実施例を示す側面図である。弾性部３の撓みにより座面部４が揺動する。また、底面部２につぼ押し具６の取付孔５が設けられている。
【実施例４】
【００２２】  図４は、本考案の第４実施例を示す斜視図である。例えば、座布団１を座椅子８の座わる位置にクッションとして設置し、又は底部２の取付孔５につぼ押し具６を取り付け、座椅子８の背もたれの部に底部２を表面にして座布団１を設置し、つぼ押し効果を得ることができる。
【実施例５】
【００２３】  図５は、本考案の第５実施例を示す正面図である。座布団１の座面部４の中央及び定められた位置に一定の形状に切り抜くことで、座る時に体の部分を挟むことを防ぎながら、それぞれの弾揺を体感できる形状を持つ座布団１である。
【実施例６】
【００２４】  この考案は次のように変形して実施することを含むものである。
（１）座布団１を携帯用として小型にし硬い椅子等に座る時、小型化した携帯用座布団を      ２カ所臀部の下に敷くことで長時間座る場合に発生する痛みを防ぐことができる。
（２）図６に示す如く座布団１を小型にした座布団１２を臀部の下に敷く時の２カ所の間      隔が調整でき携帯用に畳める携帯座布団である。
【産業上の利用可能性】
【００２５】  本考案の活用例としては、以上説明したように、簡単な構造で楽に座れる揺動可能な座布団を提供することにより、健康上の良好な効果を発揮すると共に、簡単な構造であるため安価に製作できるため、大量生産による新規商品分野を開拓でき産業の発展に寄与することができる。
【図面の簡単な説明】
【００２６】
【図１】本考案に係る座布団の第１実施例を示す全体斜視図である。
【図２】本考案に係る座布団の第２実施例を示す展開した全体斜視図である。
【図３】本考案に係る座布団の第３実施例を示す側面図である。
【図４】本考案に係る座布団の第４実施例を示す斜視図である。
【図５】本考案に係る座布団の第５実施例を示す正面図である。
【図６】本実施例で使用する携帯用座布団の変形実施例を示す側面図である。
【符号の説明】
【００２７】  １    座布団
２    底部
３    弾性部
４    座面部
５    取付孔
６    つぼ押し具
７    板状部材
８    座椅子
９    円形座面部
１０  ストッパー
１１  スライド部